(57)【要約】【課題】応力が加わり易い屈曲乃至折曲配線を行ってもシールドテープが解れ難く、優れた電気特性を維持することが可能な同軸ケーブル並びにこれを用いたフラットケーブル及びケーブルハーネスを提供する。【解決手段】導体１０１と、導体１０１の周囲に設けられた絶縁体１０２と、絶縁体１０２の周囲に巻き付けられた絶縁テープ１０３と、絶縁テープ１０３の周囲に巻き付けられたシールドテープ１０４と、を備え、シールドテープ１０４は、絶縁テープ１０３に対向する面に設けられた接着層１０５を有し、接着層１０５により絶縁テープ１０３に接着されている同軸ケーブル１００並びにこれを用いたフラットケーブル５００及びケーブルハーネス６００である。【選択図】図１
2015138750.tif 000002
【特許請求の範囲】
【請求項１】
導体と、
前記導体の周囲に設けられた絶縁体と、
前記絶縁体の周囲に巻き付けられた絶縁テープと、
前記絶縁テープの周囲に巻き付けられたシールドテープと、
を備え、
前記シールドテープは、前記絶縁テープに対向する面に設けられた接着層を有し、前記接着層により前記絶縁テープに接着されていることを特徴とする同軸ケーブル。
【請求項２】
前記絶縁体は、フッ素樹脂からなる請求項１に記載の同軸ケーブル。
【請求項３】
前記シールドテープは、１／５ラップ以上１／２ラップ以下で重ね巻きされている請求項１又は２に記載の同軸ケーブル。
【請求項４】
前記シールドテープは、絶縁層を有し、
前記絶縁テープ及び前記絶縁層は、ポリエチレンテレフタレートからなる請求項１から３の何れか一項に記載の同軸ケーブル。
【請求項５】
前記シールドテープは、金属層を有し、
前記金属層は、アルミニウムからなる請求項１から４の何れか一項に記載の同軸ケーブル。
【請求項６】
前記絶縁テープは、前記シールドテープに対向する面に設けられた接着層を有している請求項１から５の何れか一項に記載の同軸ケーブル。
【請求項７】
請求項１から６の何れか一項に記載の複数本の同軸ケーブルが端末部においてコネクタの規定ピッチで並列に配置されていることを特徴とするフラットケーブル。
【請求項８】
複数本の前記同軸ケーブルの並列方向に沿って複数本の前記同軸ケーブルの間を縫うように繊維部材が織り込まれている請求項７に記載のフラットケーブル。
【請求項９】
前記繊維部材は、前記同軸ケーブルの長さ１ｃｍ当たりに３往復以上１０往復以下の織密度で織り込まれている請求項８に記載のフラットケーブル。
【請求項１０】
請求項７から９の何れか一項に記載のフラットケーブルの端末部にコネクタが接続されていることを特徴とするケーブルハーネス。
【請求項１１】
前記フラットケーブルと前記コネクタは、金属テープを介して接続されている請求項１０に記載のケーブルハーネス。
【請求項１２】
前記フラットケーブルは、導電布で周囲を被覆されている請求項１０又は１１に記載のケーブルハーネス。
【発明の詳細な説明】
【技術分野】
【０００１】
本発明は、高周波信号の伝搬に好適な同軸ケーブル並びにこれを用いたフラットケーブル及びケーブルハーネスに関する。
【背景技術】
【０００２】
液晶テレビ等の電子機器内では、本体部と液晶ディスプレイ等の表示部とを電気的に接続する内部配線として、図７に示すように、複数本の素線７０１が撚り合わされて形成された内部導体７０２と、内部導体７０２の周囲に設けられた絶縁体７０３と、絶縁体７０３の周囲に複数本の素線７０４を横巻きして形成された外部導体（横巻シールド）７０５と、外部導体７０５の周囲に設けられたジャケット７０６と、を備える同軸ケーブル７００が使用されている。
【０００３】
近年、液晶テレビの大画面化等に伴い、電子機器内で扱われる情報が増大しているため、これらの情報を電気信号として伝搬する同軸ケーブルの更なる大容量化及び高速化が要求されている。具体的には、従来の３．７ＧＨｚ程度よりも更に高周波となる５．０ＧＨｚ程度までの周波数の信号を伝搬することが可能な同軸ケーブルが要求されている。
【０００４】
ところが、電気信号の周波数が高くなるに連れて、表皮効果により内部導体（複数本の素線）の表面に電流が集中して内部導体の実効断面積が減少するため、電気信号の周波数の上昇と共に電気抵抗（交流抵抗）が高くなり、導体損失が増加してしまう。
【０００５】
また、液晶テレビの大画面化等により電子機器の大型化が進んでいることから、内部配線の線路長を従来の４０ｃｍ程度から１００ｃｍ程度まで長尺化することが要求されており、この長尺化によっても電気抵抗（導体抵抗）が高くなるため、導体損失が増加することになる。
【０００６】
これらの電気抵抗の上昇を抑えて導体損失の増加を防止する方法としては、内部導体の外径を大きくすることが考えられる。例えば、内部導体の外径を３８ＡＷＧ（American Wire Gauge）から３６ＡＷＧに変更することにより、電気抵抗を半分程度まで低下させることができる。
【０００７】
しかしながら、３６ＡＷＧの内部導体を使用して、横巻シールドとジャケットとを備える特性インピーダンスが５０Ωの同軸ケーブルを作製すると、同軸ケーブルの外径が液晶テレビ用コネクタの規定ピッチである０．５ｍｍを超えてしまう。
【０００８】
そのため、横巻シールドとジャケットとを備える同軸ケーブルにおいては、内部導体の外径を大きくする方法により、電気抵抗の上昇を抑えて導体損失の増加を防止することは困難である。
【０００９】
これに対して、特許文献１には、導体と、導体の周囲に設けられた絶縁体と、絶縁体の周囲に粘着層を介して重ね巻きされたシールドテープと、を備えるシールド付きワイヤーハーネスが記載されている。
【００１０】
このシールド付きワイヤーハーネスによれば、ジャケットを省き、横巻シールドと比較して厚さが薄いシールドテープを使用することで、横巻シールドとジャケットとを備える同軸ケーブルよりも外径を小さくすることが可能となり、導体の外径を大きくしても、シールド付きワイヤーの外径を液晶テレビ用コネクタの規定ピッチである０．５ｍｍ以下に抑えることができる。
【先行技術文献】
【特許文献】
【００１１】
【特許文献１】特開平８−７７８３５号公報
【特許文献２】特開平８−７７８３６号公報
【発明の概要】
【発明が解決しようとする課題】
【００１２】
ところで、通常、高周波の電気信号（高周波信号）を伝搬する同軸ケーブルでは、伝搬遅延時間を短縮するために絶縁体の誘電率を小さくすると共に、伝搬速度の上昇に伴う誘電損失の増加を抑制するために絶縁体の誘電正接を小さくする必要があるので、誘電率や誘電正接が小さく誘電特性に優れたフッ素樹脂が絶縁体の材料として使用されることが多い。
【００１３】
しかしながら、フッ素樹脂は、化学的に非常に安定で他の材料との親和性が低いことから、特許文献１に記載されたシールド付きワイヤーでは、フッ素樹脂からなる絶縁体とシールドテープの粘着層との接着が不十分となる虞がある。
【００１４】
その結果、シールドテープは、重ね巻きされたシールドテープの重ね合わせ代の部分でのみ接着されることになるので、シールドテープの重ね巻きがズレて解れ易く、この解れにより隣接するシールドテープ間に隙間が生じてシールド特性や特性インピーダンス等の電気特性が悪化するという問題が生じる。
【００１５】
特に、液晶テレビの内部配線として使用される場合には、Ｌ字配線等の応力が加わり易い屈曲乃至折曲配線が必須であり、その屈曲乃至折曲部分でシールドテープが解れ易く、また導体とシールドテープとの間の距離がケーブル長手方向に亘って不安定になり易いため、ケーブル長手方向で特性インピーダンスの大きなバラツキが発生し、高周波信号を伝搬する際の電気特性が著しく悪化する虞がある。
【００１６】
そこで、本発明の目的は、応力が加わり易い屈曲乃至折曲配線を行ってもシールドテープが解れ難く、優れた電気特性を維持することが可能な同軸ケーブル並びにこれを用いたフラットケーブル及びケーブルハーネスを提供することにある。
【課題を解決するための手段】
【００１７】
この目的を達成するために創案された本発明は、導体と、前記導体の周囲に設けられた絶縁体と、前記絶縁体の周囲に巻き付けられた絶縁テープと、前記絶縁テープの周囲に巻き付けられたシールドテープと、を備え、前記シールドテープは、前記絶縁テープに対向する面に設けられた接着層を有し、前記接着層により前記絶縁テープに接着されている同軸ケーブルである。
【００１８】
前記絶縁体は、フッ素樹脂からなると良い。
【００１９】
前記シールドテープは、１／５ラップ以上１／２ラップ以下で重ね巻きされていると良い。
【００２０】
前記シールドテープは、絶縁層を有し、前記絶縁テープ及び前記絶縁層は、ポリエチレンテレフタレートからなると良い。
【００２１】
前記シールドテープは、金属層を有し、前記金属層は、アルミニウムからなると良い。
【００２２】
前記絶縁テープは、前記シールドテープに対向する面に設けられた接着層を有していると良い。
【００２３】
また、本発明は、複数本の前記同軸ケーブルが端末部においてコネクタの規定ピッチで並列に配置されているフラットケーブルである。
【００２４】
複数本の前記同軸ケーブルの並列方向に沿って複数本の前記同軸ケーブルの間を縫うように繊維部材が織り込まれていると良い。
【００２５】
前記繊維部材は、前記同軸ケーブルの長さ１ｃｍ当たりに３往復以上１０往復以下の織密度で織り込まれていると良い。
【００２６】
また、本発明は、前記フラットケーブルの端末部にコネクタが接続されているケーブルハーネスである。
【００２７】
前記フラットケーブルと前記コネクタは、金属テープを介して接続されていると良い。
【００２８】
前記フラットケーブルは、導電布で周囲を被覆されていると良い。
【発明の効果】
【００２９】
本発明によれば、応力が加わり易い屈曲乃至折曲配線を行ってもシールドテープが解れ難く、優れた電気特性を維持することが可能な同軸ケーブル並びにこれを用いたフラットケーブル及びケーブルハーネスを提供することができる。
【図面の簡単な説明】
【００３０】
【図１】本発明の第１の実施の形態に係る同軸ケーブルを示す断面図である。
【図２】本発明の第２の実施の形態に係る同軸ケーブルを示す断面図である。
【図３】本発明の第３の実施の形態に係る同軸ケーブルを示す断面図である。
【図４】本発明の第４の実施の形態に係る同軸ケーブルを示す断面図である。
【図５】本発明の実施の形態に係るフラットケーブル及びケーブルハーネスを示す平面図である。
【図６】図５の金属テープを示す断面図である。
【図７】従来技術に係る同軸ケーブルを示す断面図である。
【発明を実施するための形態】
【００３１】
以下、本発明の好適な実施の形態を添付図面にしたがって説明する。
【００３２】
先ず、図１を参照して、第１の実施の形態に係る同軸ケーブル１００について説明する。
【００３３】
第１の実施の形態に係る同軸ケーブル１００は、導体１０１と、導体１０１の周囲に設けられた絶縁体１０２と、絶縁体１０２の周囲に巻き付けられた絶縁テープ１０３と、絶縁テープ１０３の周囲に巻き付けられたシールドテープ１０４と、を備え、シールドテープ１０４は、絶縁テープ１０３に対向する面に設けられた接着層１０５を有し、接着層１０５により絶縁テープ１０３に接着されていることを特徴とする。
【００３４】
この同軸ケーブル１００は、液晶テレビ、ノートパソコン、又はプリンタ等の電子機器内において、本体部と液晶ディスプレイ等の表示部とを電気的に接続する内部配線として主に使用されるものであり、フラットケーブルやケーブルハーネスの形態で実装されることが多い。
【００３５】
導体１０１は、同軸ケーブル構造の内部導体を構成するものであり、導電性に優れた銅やアルミニウム又はこれらの合金等からなる複数本の素線１０６を撚り合わせて形成されている。これらの素線１０６は、その表面に錫、銀、又はニッケル等によるめっき処理が施されていても構わない。
【００３６】
絶縁体１０２は、同軸ケーブル構造の誘電体を構成するものであり、テトラフルオロエチレン−パーフルオロアルキルビニルエーテル共重合体（ＰＦＡ）、テトラフルオロエチレン−ヘキサフルオロプロピレン共重合体（ＦＥＰ）、又はエチレン−テトラフルオロエチレン共重合体（ＥＴＦＥ）等のフッ素樹脂からなる。フッ素樹脂は、誘電率や誘電正接が小さいため、絶縁体１０２の材料としてフッ素樹脂を使用することで、好適に伝搬遅延時間を短縮すると共に伝搬速度の上昇に伴う誘電損失の増加を抑制することが可能となる。
【００３７】
絶縁テープ１０３は、ポリエチレンテレフタレート（ＰＥＴ）からなる樹脂層で形成されている。ポリエチレンテレフタレートは、後に説明する接着層１０５の材料に対して優れた接着性を有しているため、絶縁テープ１０３の材料としてポリエチレンテレフタレートを使用することで、絶縁テープ１０３に対してシールドテープ１０４を強固に接着することが可能となる。
【００３８】
シールドテープ１０４は、接着層１０５の他に金属層１０７を有している。この金属層１０７は、同軸ケーブル構造の外部導体を構成するものであり、十分なシールド特性が確保できるように、厚さが２μｍから１０μｍ程度のアルミニウムからなる。アルミニウムは、外気に暴露されても表面に生成された酸化皮膜により腐食や変色が防止されるため、シールドテープ１０４の材料としてアルミニウムを使用することで、ジャケットを省いても長期に亘って所望の電気特性を維持すると共に外観を美麗に保つことが可能となる。
【００３９】
接着層１０５は、ポリエステル系熱融着型接着剤からなる。ポリエステル系熱融着型接着剤は、先に説明した金属層１０７の材料に対して優れた接着性を有しているため、接着層１０５の材料としてポリエステル系熱融着型接着剤を使用することで、接着層１０５と金属層１０７との剥離を防止して、これらをシールドテープ１０４として一体的に取り扱うことが可能となる。
【００４０】
ここでは、絶縁テープ１０３の材料としてポリエチレンテレフタレートを使用し、接着層１０５の材料としてポリエステル系熱融着型接着剤を使用し、金属層１０７の材料としてアルミニウムを使用したが、これらが相互に優れた接着性を発揮できる組み合わせであれば、他の材料を使用しても構わない。
【００４１】
このシールドテープ１０４は、１／５ラップ以上１／２ラップ以下で重ね巻きされていることが好ましい。シールドテープ１０４が１／５ラップ未満で重ね巻きされている場合には、シールドテープ１０４の重ね合わせ代が少なく、シールドテープ１０４同士の接着面積が小さくなり、屈曲乃至折曲配線時に屈曲乃至折曲部分でシールドテープ１０４の巻き付けピッチがズレて解れ易くなるからである。また、シールドテープ１０４が１／２ラップを超えて重ね巻きされている場合には、シールドテープ１０４が３重巻きとなる部分が発生し、同軸ケーブル１００の外径が大きくなってしまうからである。
【００４２】
なお、シールドテープ１０４を重ね巻きする理由は、例えば、シールドテープ１０４が突き合わせ巻きされている場合には、屈曲乃至折曲配線時に屈曲乃至折曲部分でシールドテープ１０４で被覆されていない隙間が発生し、ケーブル長手方向でインピーダンスの大きなバラツキが発生してしまうからである。
【００４３】
これまで説明してきたように、第１の実施の形態に係る同軸ケーブル１００は、シールドテープ１０４に設けられた接着層１０５に対して殆ど接着性を有していない絶縁体１０２の周囲に巻き付けられると共に接着層１０５に対して優れた接着性を有している絶縁テープ１０３を備えている。
【００４４】
そのため、シールドテープ１０４が絶縁テープ１０３に対して巻き付けピッチを維持した状態で全面に亘って強固に接着されることになり、屈曲乃至折曲配線時に屈曲乃至折曲部分でシールドテープ１０４が解れて電気特性が悪化することを防止することが可能となる。
【００４５】
なお、絶縁テープ１０３が絶縁体１０２に対して接着されていないため、屈曲乃至折曲配線時又は取扱時に、絶縁テープ１０３が筒状の形状を呈した状態でケーブル長手方向に摺動する可能性があるが、シールドテープ１０４が絶縁テープ１０３に対して強固に接着されているので、シールドテープ１０４が解れて電気特性が悪化することは無い。
【００４６】
それどころか、屈曲乃至折曲配線時又は取扱時に、シールドテープ１０４が絶縁テープ１０３と共にケーブル長手方向に摺動することにより、絶縁体１０２やシールドテープ１０４に加わる応力が分散されることになり、耐屈曲性を向上させることが可能となる。
【００４７】
また、第１の実施の形態に係る同軸ケーブル１００では、従来、外部導体の周囲に設けていたジャケットを省いていることから、シールドテープ１０４が最外層となり、シールドテープ１０４の重ね合わせ代の部分に形成された段差部が外部に晒されることになるので、この段差部が配線時に引っ掛かる等して段差部を起点にシールドテープ１０４が解れ易くなるとも考えられる。
【００４８】
しかしながら、シールドテープ１０４に設けられた接着層１０５により、シールドテープ１０４の重ね合わせ代の部分も強固に固定されるため、段差部を起点にシールドテープ１０４が解れることは無い。
【００４９】
更に、第１の実施の形態に係る同軸ケーブル１００によれば、ジャケットを省き、横巻シールドと比較して厚さが薄いシールドテープ１０４を使用しているため、横巻シールドとジャケットとを備える従来の同軸ケーブルよりも外径を小さくすることが可能となり、導体１０１の外径を大きくしても、同軸ケーブル１００の外径を液晶テレビ用コネクタの規定ピッチである０．５ｍｍ以下に抑えることが可能となる。
【００５０】
次に、図２を参照して、第２の実施の形態に係る同軸ケーブル２００について説明する。
【００５１】
第２の実施の形態に係る同軸ケーブル２００は、第１の実施の形態に係る同軸ケーブル１００と比較すると、絶縁テープ２０１が、ポリエチレンテレフタレートからなる樹脂層２０２に加えて、シールドテープ１０４に対向する面に設けられた接着層２０３を有している点が相違している。
【００５２】
接着層２０３は、シールドテープ１０４に設けられた接着層１０５と同様に、ポリエステル系熱融着型接着剤からなる。これにより、接着層１０５と接着層２０３とが同種材料同士の接合となるため、接着強度をより高めることが可能となる。
【００５３】
また、接着層２０３により絶縁テープ２０１の重ね合わせ代の部分も接着されることになるので、絶縁テープ２０１の巻き付けピッチが更にズレ難く、絶縁テープ２０１の解れをより確実に防止することができる。
【００５４】
そのため、第２の実施の形態に係る同軸ケーブル２００によれば、第１の実施の形態に係る同軸ケーブル１００の利益に加えて、より厳しい屈曲角度や曲げ半径で屈曲乃至折曲配線を行ってもシールドテープ１０４が解れ難く、優れた電気特性を維持することが可能となる。
【００５５】
次に、図３を参照して、第３の実施の形態に係る同軸ケーブル３００について説明する。
【００５６】
第３の実施の形態に係る同軸ケーブル３００は、第１の実施の形態に係る同軸ケーブル１００と比較すると、シールドテープ３０１が、接着層１０５と金属層１０７に加えて、絶縁層３０２を有している点が相違している。
【００５７】
絶縁層３０２は、例えば、接着層１０５と金属層１０７との間に設けられており、ポリエチレンテレフタレートからなる。ポリエチレンテレフタレートは、優れた機械的強度を有しているため、絶縁層３０２の材料としてポリエチレンテレフタレートを使用することで、接着層１０５や金属層１０７の機械的強度の低さを補うことが可能となる。
【００５８】
そのため、第３の実施の形態に係る同軸ケーブル３００によれば、第１の実施の形態に係る同軸ケーブル１００の利益に加えて、最外層となるシールドテープ３０１の機械的強度を高めることができ、ジャケットを省くことによる機械的強度の低下を緩和することが可能となる。
【００５９】
また、絶縁テープ１０３の周囲にシールドテープ３０１を巻き付ける際には、シールドテープ３０１に所定の張力を与えた状態で巻き付けるが、シールドテープ３０１の機械的強度を高めることで、与えた張力による破断等が発生し難くなるため、シールドテープ３０１をきつく巻き付けることができ、絶縁テープ１０３にシールドテープ３０１をより強固に接着することが可能となる。
【００６０】
次に、図４を参照して、第４の実施の形態に係る同軸ケーブル４００について説明する。
【００６１】
第４の実施の形態に係る同軸ケーブル４００は、第１の実施の形態に係る同軸ケーブル１００と比較すると、絶縁テープ２０１が、ポリエチレンテレフタレートからなる樹脂層２０２に加えて、シールドテープ１０４に対向する面に設けられた接着層２０３を有している点、及びシールドテープ３０１が、接着層１０５と金属層１０７に加えて、絶縁層３０２を有している点が相違している。
【００６２】
即ち、第４の実施の形態に係る同軸ケーブル４００は、第２の実施の形態に係る同軸ケーブル２００と第３の実施の形態に係る同軸ケーブル３００とを組み合わせた形態となっている。
【００６３】
そのため、第４の実施の形態に係る同軸ケーブル４００によれば、第１の実施の形態に係る同軸ケーブル１００の利益に加えて、第２の実施の形態に係る同軸ケーブル２００と第３の実施の形態に係る同軸ケーブル３００の両方の利益を得ることが可能となる。
【００６４】
次に、図５を参照して、一例として、第１の実施の形態に係る同軸ケーブル１００を用いたフラットケーブル５００及びケーブルハーネス６００について説明するが、当然ながら、第２から第４の実施の形態に係る同軸ケーブル２００から４００を用いてフラットケーブル及びケーブルハーネスを構成することもできる。
【００６５】
先ず、本実施の形態に係るフラットケーブル５００は、複数本の同軸ケーブル１００が端末部において液晶テレビ用コネクタの規定ピッチである０．５ｍｍピッチで並列に配置されていることを特徴とする。
【００６６】
そして、複数本の同軸ケーブル１００の並列方向に沿って複数本の同軸ケーブル１００の間を縫うように繊維部材５０１が織り込まれている。
【００６７】
具体的には、繊維部材５０１は、フラットケーブル５００のケーブル長手方向の一端から他端まで幅方向（複数本の同軸ケーブル１００の並列方向）の一側から他側に複数本の同軸ケーブル１００の間をジグザグに往復しながら、複数本の同軸ケーブル１００を平型形状に拘束して固定するように織り込まれている。
【００６８】
これにより、フラットケーブル５００を構成する全ての同軸ケーブル１００が繊維部材５０１に拘束されると共に、複数本の同軸ケーブル１００が１本ずつ相互に寄せ合うように配置されて均一なピッチで配列されるため、フラットケーブル５００の幅が小さくなり、小型化を図ることが可能となる。
【００６９】
また、繊維部材５０１は、同軸ケーブル１００の長さ１ｃｍ当たりに３往復以上１０往復以下の織密度で織り込まれていることが好ましい。繊維部材５０１が同軸ケーブル１００の長さ１ｃｍ当たりに３往復未満の織密度で織り込まれている場合には、隣接する繊維部材５０１間に生じる隙間が大きくなり、屈曲乃至折曲配線時又は取扱時に、その隙間から同軸ケーブル１００が飛び出して突出し、同軸ケーブル１００にうねりやこれに伴う座屈断線が生じる可能性があり、電気特性を悪化させてしまうからである。また、繊維部材５０１が同軸ケーブル１００の長さ１ｃｍ当たりに１０往復を超える織密度で織り込まれている場合には、隣接する繊維部材５０１間に生じる隙間が殆ど無くなり、繊維部材５０１の反発力が強くなるため、屈曲乃至折曲又は取扱が困難となり、また屈曲乃至折曲後の形状が維持できずに元の形状に復元してしまうため、屈曲乃至折曲配線に不利となるからである。
【００７０】
更に、繊維部材５０１は、フラットケーブル５００のケーブル長手方向の全体に亘って織り込まれているが、機器側との接続を担うコネクタの取り付けを容易にするために、フラットケーブル５００のケーブル長手方向の両端部に織り込まれている繊維部材５０１を除去しておくようにしても構わない。
【００７１】
このとき、繊維部材５０１を溶剤で溶解させる等の特別な作業を伴わずに、繊維部材５０１の先端部を引っ張るだけで同軸ケーブル１００と繊維部材５０１との分離を容易に行えるため、コネクタの取り付け作業を簡素化することができ、作業者に掛かる負担を軽減することが可能となる。
【００７２】
繊維部材５０１は、伸度が高く初期モジュラスが低い繊維、具体的には、伸度が５００％以上９００％以下、３００％伸長時の伸長回復率が９０％以上、３００％伸長するための初期モジュラスが５ｃＮ／ｄｔｅｘ以上３０ｃＮ／ｄｔｅｘ以下のポリウレタン弾性繊維からなることが好ましい。
【００７３】
伸度を５００％以上９００％以下とするのは、５００％未満であると、フラットケーブル５００を屈曲させたときや所望のレイアウトに応じて複数本の同軸ケーブル１００のピッチをケーブル長手方向の一部で変化させた際に、繊維部材５０１がその屈曲や変化に十分に追従できなくなるからである。また、９００％を超えると、繊維部材５０１が複数本の同軸ケーブル１００を拘束して固定する機能が低下するからである。
【００７４】
３００％伸長時の伸長回復率を９０％以上とするのは、９０％未満であると、フラットケーブル５００を屈曲させたときに繊維部材５０１が伸びきってしまい、フラットケーブル５００が屈曲前の形状に戻り難くなるからである。
【００７５】
３００％伸長するための初期モジュラスを５ｃＮ／ｄｔｅｘ以上３０ｃＮ／ｄｔｅｘ以下とするのは、５ｃＮ／ｄｔｅｘ未満であると、複数本の同軸ケーブル１００の間に繊維部材５０１を織り込む際に、複数本の同軸ケーブル１００を繊維部材５０１で十分に拘束することができず、綺麗な形状のフラットケーブル５００を製造することができなくなり、フラットケーブル５００の形状を綺麗に整えるための後工程が別に必要となり、製造コストの上昇を招いてしまうからである。また、３０ｃＮ／ｄｔｅｘを超えると、複数本の同軸ケーブル１００の間に繊維部材５０１を織り込む際に、同軸ケーブル１００が繊維部材５０１で強く締め付けられて同軸ケーブル１００にうねりやこれに伴う座屈断線が生じる可能性があり、電気特性を悪化させてしまうからである。
【００７６】
つまり、３００％伸長するための初期モジュラスを５ｃＮ／ｄｔｅｘ以上３０ｃＮ／ｄｔｅｘ以下とすることにより、複数本の同軸ケーブル１００の間に繊維部材５０１を織り込む際に、同軸ケーブル１００に余分な負荷を与えずに織り込むことが可能となる。
【００７７】
これらの条件を満たすポリウレタン弾性繊維としては、例えば、旭化成せんい株式会社製のロイカ（登録商標）がある。また、繊維部材５０１は、フラットケーブル５００の強度向上や薄型化の観点から、モノフィラメントからなることが好ましい。
【００７８】
このようなポリウレタン弾性繊維を繊維部材５０１として使用することにより、複数本の同軸ケーブル１００の間に繊維部材５０１を織り込む際に、繊度が非常に細い繊維部材５０１を大きく伸長させた状態で織り込むことが可能となる。
【００７９】
例えば、１７ｄｔｅｘ以上４５ｄｔｅｘ以下の繊維部材５０１を３００％に伸長させた状態で織り込むことが可能となる。１７ｄｔｅｘ以上４５ｄｔｅｘ以下の繊維部材５０１を３００％に伸長させた状態の繊維部材５０１の外径は０．０４ｍｍ以下であるため、複数本の同軸ケーブル１００のピッチやフラットケーブル５００の厚さを０．５０ｍｍ以下に抑えることができ、従来と比較して更なる小型化と薄型化とを図ることが可能となる。
【００８０】
繊維部材５０１を織り込んだ後は、繊維部材５０１の伸長回復力により複数本の同軸ケーブル１００が相互に寄せ合うように配置されるが、繊維部材５０１の伸度が高いので、同軸ケーブル１００に過度な力が加えられることが無い。
【００８１】
そのため、同軸ケーブル１００の外径が小さい場合であっても、繊維部材５０１の伸長回復力により同軸ケーブル１００に小さな曲げを発生させるようなストレスが与えられることが無く、同軸ケーブル１００にうねりやこれに伴う座屈断線を発生させずに繊維部材５０１が複数本の同軸ケーブル１００の間に織り込まれることとなる。
【００８２】
そして、複数本の同軸ケーブル１００のピッチを同軸ケーブル１００に余分な負荷を与えること無しに小さくすることができ、フラットケーブル５００の幅を従来と比較して小さくすることが可能となる。
【００８３】
更に、先に説明したポリウレタン弾性繊維からなる繊維部材５０１は、複数本の同軸ケーブル１００の間に織り込まれた後も十分な伸長が可能であり、フラットケーブル５００に幅方向に対する伸縮機能を付与する。
【００８４】
そのため、屈曲乃至折曲配線時又は取扱時に、同軸ケーブル１００が自由に移動して同軸ケーブル１００に加わる応力をフラットケーブル５００の幅方向に効果的に分散させることができる。
【００８５】
よって、本実施の形態に係るフラットケーブル５００によれば、フラットケーブル５００をケーブル長手方向に沿って折り曲げる等しても同軸ケーブル１００に加わる応力を緩和することができ、折り曲げ等に伴う電気特性の悪化や同軸ケーブル１００の断線を防止することが可能となる。
【００８６】
次に、本実施の形態に係るケーブルハーネス６００は、フラットケーブル５００の端末部にコネクタ６０１が接続されていることを特徴とする。
【００８７】
フラットケーブル５００は、シールドテープ１０４の金属層１０７と共に二重シールド構造を構成する導電布６０２（図では他の部材の説明のために一点鎖線で描いている）で周囲を被覆されている。これにより、シールド特性を更に向上させることができ、電磁両立性を達成することが可能となる。
【００８８】
コネクタ６０１は、液晶テレビ用コネクタからなり、複数本の同軸ケーブル１００の導体１０１のそれぞれが電気的に接続される複数の信号電極（図示せず）と、複数本の同軸ケーブル１００の金属層１０７が電気的に接続される共通のグランド電極６０３と、を有している。
【００８９】
これらのフラットケーブル５００とコネクタ６０１は、金属テープ６０４を介して接続されている。
【００９０】
図６に示すように、金属テープ６０４は、複数本の同軸ケーブル１００の金属層１０７やコネクタ６０１のグランド電極６０３に対向する面に設けられた導電性接着層６０５を有し、導電性接着層６０５により金属層１０７やグランド電極６０３に接着されている。この導電性接着層６０５は、エポキシ樹脂と銀とを混合してなる導電性接着剤等により形成されている。
【００９１】
また、金属テープ６０４は、導電性接着層６０５の他に金属接続層６０６を有している。この金属接続層６０６は、金属層１０７とグランド電極６０３とを電気的に接続するものであり、導電性に優れた銅やアルミニウム又はこれらの合金等からなる。
【００９２】
これらの構成により、本実施の形態に係るケーブルハーネス６００によれば、金属テープ６０４を使用して金属層１０７とグランド電極６０３とを電気的に一括して接続することができるため、フラットケーブル５００とコネクタ６０１との接続に伴う作業負担を大幅に軽減することが可能となる。
【００９３】
以上の通り、本発明によれば、応力が加わり易い屈曲乃至折曲配線を行ってもシールドテープ１０４が解れ難く、優れた電気特性を維持することが可能な同軸ケーブル１００並びにこれを用いたフラットケーブル５００及びケーブルハーネス６００を提供することができる。
【００９４】
なお、先に説明した実施の形態は、本発明の具体的な一例にすぎず、本発明の主旨を逸脱しない範囲で種々の変更を伴うことができる。例えば、本明細書では、一例として、液晶テレビ用コネクタを使用する場合を説明しているが、他のタイプのコネクタを使用するようにしても構わない。
【符号の説明】
【００９５】
１００  同軸ケーブル
１０１  導体
１０２  絶縁体
１０３  絶縁テープ
１０４  シールドテープ
１０５  接着層
１０６  素線
１０７  金属層
２００  同軸ケーブル
２０１  絶縁テープ
２０２  樹脂層
２０３  接着層
３００  同軸ケーブル
３０１  シールドテープ
３０２  絶縁層
４００  同軸ケーブル
５００  フラットケーブル
５０１  繊維部材
６００  ケーブルハーネス
６０１  コネクタ
６０２  導電布
６０３  グランド電極
６０４  金属テープ
６０５  導電性接着層
６０６  金属接続層
【図１】
2015138750.tif 000003
【図２】
2015138750.tif 000004
【図３】
2015138750.tif 000005
【図４】
2015138750.tif 000006
【図５】
2015138750.tif 000007
【図６】
2015138750.tif 000008
【図７】
2015138750.tif 000009